(57)【要約】【課題】集塵容器を掃除機本体から容易に取り外すことができる電気掃除機を提供すること。【解決手段】掃除機本体２と、この掃除機本体２に対して着脱自在に取り付けられた集塵容器３と、この集塵容器３を前記掃除機本体２に固定するための固定手段１２とを有して構成された電気掃除機１において、前記掃除機本体２に、この掃除機本体２から離れる方向に前記集塵容器３を付勢する付勢手段１１を設ける。前記固定手段１２を操作して前記掃除機本体２と集塵容器３との固定を解除すると、前記付勢手段１１によって、前記集塵容器３が前記掃除機本体２から離れる方向に移動するので、前記集塵容器３の前記掃除機本体２からの取り外しを容易に行うことができる。【選択図】図２
2010075399.tif 000002
【特許請求の範囲】
【請求項１】
掃除機本体と、この掃除機本体に対して着脱自在に取り付けられた集塵容器と、この集塵容器を前記掃除機本体に固定するための固定手段とを有して構成された電気掃除機において、
前記掃除機本体に、この集塵容器を前記掃除機本体から離れる方向に付勢する付勢手段を設けたことを特徴とする電気掃除機。
【請求項２】
前記付勢手段が、前記集塵容器を押圧する押圧子と、この押圧子を付勢するばねとを有して構成されていることを特徴とする請求項１記載の電気掃除機。
【請求項３】
前記集塵容器が、前記掃除機本体から上方に取り外し可能に固定され、この集塵容器が開口部を有し、前記付勢手段が前記集塵容器の開口部側と当接する位置に設けられると共に、前記集塵容器の反開口部側に回動支点が設けられることを特徴とする請求項１記載の電気掃除機。
【請求項４】
掃除機本体と、この掃除機本体に対して着脱自在に取り付けられた集塵容器と、この集塵容器を前記掃除機本体に固定するための固定手段とを有して構成された電気掃除機において、
前記集塵容器に、この集塵容器を前記掃除機本体から離れる方向に付勢する付勢手段を設けたことを特徴とする電気掃除機。
【請求項５】
前記付勢手段が、前記掃除機本体を押圧する押圧子と、この押圧子を付勢するばねとを有して構成されていることを特徴とする請求項４記載の電気掃除機。
【請求項６】
前記集塵容器が、前記掃除機本体から上方に取り外し可能に固定され、この集塵容器が開口部を有し、前記付勢手段が前記集塵容器の開口部側に設けられると共に、前記集塵容器の反開口部側に回動支点が設けられることを特徴とする請求項４記載の電気掃除機。
【発明の詳細な説明】
【技術分野】
【０００１】
本発明は、着脱自在な集塵容器を有する電気掃除機に関するものである。
【背景技術】
【０００２】
従来、この種の電気掃除機としては、掃除機本体と、この掃除機本体の収納室に着脱自在に取り付けられる集塵装置や塵容器（本発明の集塵容器に相当する）と、この集塵装置や塵容器を前記掃除機本体に固定するための取外操作機構やロック装置（本発明の固定手段に相当する）を有して構成された電気掃除機が知られている（例えば、特許文献１，２参照。）。そして、これらの電気掃除機では、前記集塵装置や塵容器に塵が溜まった場合、取外操作機構やロック装置を操作して集塵装置や塵容器を掃除機本体から取り外し、前記集塵装置や塵容器に溜まった塵をごみ箱等に廃棄する。
【特許文献１】特開２００１−３１４３５４号公報
【特許文献２】実公昭５０−３９０３１号公報
【発明の開示】
【発明が解決しようとする課題】
【０００３】
しかしながら、このような電気掃除機においては、前記取外操作機構やロック装置を操作しても、前記掃除機本体と集塵装置や塵容器との固定が解除されるだけであり、集塵装置や塵容器を掃除機本体から着脱しやすくするという観点から、改良の余地があった。
【０００４】
本発明は以上の問題点を解決し、集塵容器を掃除機本体から容易に取り外すことができる電気掃除機を提供することを目的とする。
【課題を解決するための手段】
【０００５】
本発明の請求項１に記載の電気掃除機は、掃除機本体と、この掃除機本体に対して着脱自在に取り付けられた集塵容器と、この集塵容器を前記掃除機本体に固定するための固定手段とを有して構成された電気掃除機において、前記掃除機本体に、この集塵容器を前記掃除機本体から離れる方向に付勢する付勢手段を設けたものである。
【０００６】
また、本発明の請求項２に記載の電気掃除機は、請求項１において、前記付勢手段が、前記集塵容器を押圧する押圧子と、この押圧子を付勢するばねとを有して構成されているものである。
【０００７】
また、本発明の請求項３に記載の電気掃除機は、請求項１において、前記集塵容器が、前記掃除機本体から上方に取り外し可能に固定され、この集塵容器が開口部を有し、前記付勢手段が前記集塵容器の開口部側と当接する位置に設けられると共に、前記集塵容器の反開口部側に回動支点が設けられるものである。
【０００８】
また、本発明の請求項４に記載の電気掃除機は、掃除機本体と、この掃除機本体に対して着脱自在に取り付けられた集塵容器と、この集塵容器を前記掃除機本体に固定するための固定手段とを有して構成された電気掃除機において、前記集塵容器に、この集塵容器を前記掃除機本体から離れる方向に付勢する付勢手段を設けたものである。
【０００９】
また、本発明の請求項５に記載の電気掃除機は、請求項４において、前記付勢手段が、前記掃除機本体を押圧する押圧子と、この押圧子を付勢するばねとを有して構成されているものである。
【００１０】
更に、本発明の請求項６に記載の電気掃除機は、請求項４において、前記集塵容器が、前記掃除機本体から上方に取り外し可能に固定され、この集塵容器が開口部を有し、前記付勢手段が前記集塵容器の開口部側に設けられると共に、前記集塵容器の反開口部側に回動支点が設けられるものである。
【発明の効果】
【００１１】
本発明の請求項１に記載の電気掃除機は、以上のように構成することにより、前記掃除機本体に前記集塵容器が固定された状態から、前記固定手段を操作して前記掃除機本体と集塵容器との固定を解除すると、前記付勢手段によって、前記集塵容器が前記掃除機本体から離れる方向に移動するので、前記集塵容器の前記掃除機本体からの取り外しを容易に行うことができる。
【００１２】
また、前記付勢手段が、前記集塵容器を押圧する押圧子と、この押圧子を付勢するばねとを有して構成されることで、極めて単純な構造で前記付勢手段を構成することができるので、この付勢手段を設けることによる掃除機本体、ひいては電気掃除機のコストアップを最小限に抑えることができる。
【００１３】
また、前記集塵容器に開口部を設け、前記付勢手段を前記集塵容器の開口部側と当接する位置に設けると共に、前記集塵容器の反開口部側に回動支点を設けたことで、前記付勢手段によって、前記集塵容器の開口部側が前記掃除機本体から離れる方向に、即ち前記集塵容器の開口部側が高くなるように、回動支点を中心として回動するので、前記開口部から塵埃が漏れる虞を減ずることができる。
【００１４】
また、本発明の請求項４に記載の電気掃除機は、以上のように構成することにより、前記掃除機本体に前記集塵容器が固定された状態から、前記固定手段を操作して前記掃除機本体と集塵容器との固定を解除すると、前記付勢手段によって、前記集塵容器が前記掃除機本体から離れる方向に移動するので、前記集塵容器の前記掃除機本体からの取り外しを容易に行うことができる。
【００１５】
また、前記付勢手段が、前記掃除機本体を押圧する押圧子と、この押圧子を付勢するばねとを有して構成されることで、極めて単純な構造で前記付勢手段を構成することができるので、この付勢手段を設けることによる集塵容器、ひいては電気掃除機のコストアップを最小限に抑えることができる。
【００１６】
更に、前記集塵容器に開口部を設け、前記付勢手段を前記集塵容器の開口部側に設けると共に、前記集塵容器の反開口部側に回動支点を設けたことで、前記付勢手段によって、前記集塵容器の開口部側が前記掃除機本体から離れる方向に、即ち前記集塵容器の開口部側が高くなるように、回動支点を中心として回動するので、前記開口部から塵埃が漏れる虞を減ずることができる。
【発明を実施するための最良の形態】
【００１７】
以下、本発明の第一の実施形態について、図１及び図２に基づいて説明する。１は本発明の横型の電気掃除機である。この電気掃除機１は、掃除機本体２と、この掃除機本体２に対して着脱自在に固定される集塵容器３と、前記掃除機本体２に対して着脱自在に接続されるホース４とを有して構成されている。
【００１８】
前記掃除機本体２の前部には、前記集塵容器３を固定するための取付部５が形成されている。この取付部５は、図示しない電動送風機が収納された本体後部２Ａの前方で且つ、前記ホース４と集塵容器３とを接続するための接続経路６が設けられた本体前底部２Ｂの上方に設けられている。
【００１９】
そして、前記掃除機本体２の本体前底部２Ｂの前側には、係止孔７が形成されている。また、前記掃除機本体２の本体前底部２Ｂの後側には貫通孔８が形成されていると共に、この貫通孔８から出没可能となるように、押圧子９が取り付けられている。また、この押圧子９は、圧縮コイルばね１０によって上方に付勢されている。そして、これら押圧子９及び圧縮コイルばね１０によって、付勢手段１１が構成されている。このように、前記付勢手段１１が前記押圧子９と圧縮コイルばね１０とで極めて単純に構成されていることで、前記付勢手段１１が設けられた前記掃除機本体２の構造の複雑化を抑えることができるので、電気掃除機１のコストアップを最小限に抑えることができる。また、前記押圧子９は、前記取付部５に前記集塵容器３を固定した際に、この集塵容器３の後述する開口部１５側の下方外壁３Ａに当接するように構成されている。更に、前記掃除機本体２の本体後部２Ａの前上部には、前記取付部５に前記集塵容器３を固定するための固定手段１２が設けられている。なお、前記掃除機本体２の本体前底部２Ｂには、前輪１３が設けられていると共に、前記掃除機本体２の本体後部２Ａには、後輪１４が設けられている。
【００２０】
前記集塵容器３の後部には、前記本体後部２Ａと対向するように、開口部１５が形成されている。また、前記集塵容器３の下方外壁３Ａの反開口部１５側（即ち前側）には、前記係止孔７に挿入される爪部１６が形成されている。なお、前記集塵容器３の塵埃分離の方式は、ろ過（フィルタ式）であっても、遠心分離（サイクロン式）であっても良い。
【００２１】
次に、本実施形態の作用について説明する。まず使用者は、図２に示すように、前記開口部１５側が前記本体後部２Ａ側となるように、前記集塵容器３の爪部１６を前記掃除機本体２の係止孔７に挿入する。そして、前記爪部１６を回動支点として、前記付勢手段１１の付勢力に抗して、前記集塵容器３を下方に押し付けるように回動させた後、前記集塵容器３の開口部１５側の上方外壁３Ｂに前記固定手段１２を係合させることで、図１に示すように、前記集塵容器３が前記掃除機本体２の取付部５に固定される。
【００２２】
この状態で、図示しない電動送風機を作動させることで、図示しない吸い込み口から前記ホース４及び接続経路６を経て、前記集塵容器３内に塵埃を含んだ気流が流入し、この集塵容器３内で気流から塵埃が分離されると共に、この塵埃が前記集塵容器３内に溜められる。なお、前記集塵容器３の塵埃分離の方式がフィルタ式であってもサイクロン式であっても、前記集塵容器３の開口部１５には図示しないフィルタ等が取り付けられるので、最終的には、細かい塵埃や軽い塵埃が図示しない前記フィルタに捕捉される。更に、図示しない前記フィルタによって細かい塵埃まで除去された気流は、前記電動送風機に吸引された後、前記掃除機本体２外に排出される。
【００２３】
そして、前記集塵容器３内に塵埃が溜まった場合、この塵埃を廃棄するために、前記集塵容器３を前記掃除機本体２の取付部５から取り外す。この場合、図示しない前記電動送風機が停止した状態で、使用者が前記固定手段１２を操作して、この固定手段１２と前記集塵容器３の上方外壁３Ｂとの係合を解除することで、前記集塵容器３の前記掃除機本体２への固定が解除される。そして、この固定が解除されると、前記付勢手段１１によって、前記集塵容器３の開口部１５側の下方外壁３Ａが押し上げられる。この際、前記集塵容器３は、回動支点である前記爪部１６を中心に前記開口部１５側がやや上を向くように回動することになる。
【００２４】
このように、前記集塵容器３の開口部１５側がやや上向きとなるように持ち上がることによって、使用者が前記掃除機本体２から前記集塵容器３を取り外しやすくすることができるばかりでなく、万が一、前記集塵容器３の開口部１５から図示しないフィルタ等が外れたとしても、前記集塵容器３内から塵埃が漏れにくくすることができる。
【００２５】
次に、本発明の第二の実施形態について、図３及び図４に基づいて説明する。２１は本発明の横型の電気掃除機である。この電気掃除機２１は、掃除機本体２２と、この掃除機本体２２に対して着脱自在に固定される集塵容器２３と、前記掃除機本体２２に対して着脱自在に接続されるホース４とを有して構成されている。
【００２６】
前記掃除機本体２２の前部には、前記集塵容器３を固定するための取付部２５が形成されている。この取付部２５は、図示しない電動送風機が収納された本体後部２２Ａの前方で且つ、前記ホース４と集塵容器２３とを接続するための図示しない接続経路が設けられた本体前底部２２Ｂの上方に設けられている。
【００２７】
そして、前記掃除機本体２２の本体前底部２２Ｂの前側には、係止爪２７が形成されている。また、前記掃除機本体２２の本体前底部２２Ｂの後側には貫通孔２８が形成されていると共に、この貫通孔２８から出没可能となるように、押圧子９が取り付けられている。また、この押圧子９は、圧縮コイルばね１０によって上方に付勢されている。そして、これら押圧子９及び圧縮コイルばね１０によって、付勢手段１１が構成されている。このように、前記付勢手段１１が前記押圧子９と圧縮コイルばね１０とで極めて単純に構成されていることで、前記付勢手段１１が設けられた前記掃除機本体２２の構造の複雑化を抑えることができるので、電気掃除機２１のコストアップを最小限に抑えることができる。また、前記押圧子９は、前記取付部２５に前記集塵容器２３を固定した際に、この集塵容器２３の後述する開口部３５側の下方外壁２３Ａに当接するように構成されている。更に、前記掃除機本体２２の本体後部２２Ａの前上部には、前記取付部２５に前記集塵容器２３を固定するための固定手段１２が設けられている。なお、前記掃除機本体２２の本体前底部２２Ｂには、前輪１３が設けられていると共に、前記掃除機本体２２の本体後部２２Ａには、後輪１４が設けられている。
【００２８】
前記集塵容器２３の後部には、前記本体後部２２Ａと対向するように、開口部３５が形成されている。また、前記集塵容器２３の下方外壁２３Ａの反開口部３５側（即ち前側）には、前記係止爪２７の先端２７Ａに当接する受部３６が形成されている。なお、前記集塵容器２３の塵埃分離の方式は、ろ過（フィルタ式）であっても、遠心分離（サイクロン式）であっても良い。
【００２９】
次に、本実施形態の作用について説明する。まず使用者は、図４に示すように、前記開口部３５側が前記本体後部２２Ａ側となるように、前記集塵容器２３の受部３６を前記掃除機本体２２の係止爪２７の先端２７Ａに当接させる。そして、前記受部３６を回動支点として、前記付勢手段１１の付勢力に抗して、前記集塵容器２３を下方に押し付けるように回動させた後、前記集塵容器２３の開口部３５側の上方外壁２３Ｂに前記固定手段１２を係合させることで、図３に示すように、前記集塵容器２３が前記掃除機本体２２の取付部２５に固定される。
【００３０】
この状態で、図示しない電動送風機を作動させることで、図示しない吸い込み口から前記ホース４及び接続経路を経て、前記集塵容器２３内に塵埃を含んだ気流が流入し、この集塵容器２３内で気流から塵埃が分離されると共に、この塵埃が前記集塵容器２３内に溜められる。なお、前記集塵容器２３の塵埃分離の方式がフィルタ式であってもサイクロン式であっても、前記集塵容器２３の開口部３５には図示しないフィルタ等が取り付けられるので、最終的には、細かい塵埃や軽い塵埃が図示しない前記フィルタに捕捉される。更に、図示しない前記フィルタによって細かい塵埃まで除去された気流は、前記電動送風機に吸引された後、前記掃除機本体２２外に排出される。
【００３１】
そして、前記集塵容器２３内に塵埃が溜まった場合、この塵埃を廃棄するために、前記集塵容器２３を前記掃除機本体２２の取付部２５から取り外す。この場合、図示しない前記電動送風機が停止した状態で、使用者が前記固定手段１２を操作して、この固定手段１２と前記集塵容器２３の上方外壁２３Ｂとの係合を解除することで、前記集塵容器２３の前記掃除機本体２２への固定が解除される。そして、この固定が解除されると、前記付勢手段１１によって、前記集塵容器２３の開口部３５側の下方外壁２３Ａが押し上げられる。この際、前記集塵容器２３は、回動支点である前記受部３６を中心に前記開口部３５側がやや上を向くように回動することになる。
【００３２】
このように、前記集塵容器２３の開口部３５側がやや上向きとなるように持ち上がることによって、使用者が前記掃除機本体２２から前記集塵容器２３を取り外しやすくすることができるばかりでなく、万が一、前記集塵容器２３の開口部３５から図示しないフィルタ等が外れたとしても、前記集塵容器２３内から塵埃が漏れにくくすることができる。
【００３３】
次に、本発明の第三の実施形態について、図５及び図６に基づいて説明する。４１は本発明の横型の電気掃除機である。この電気掃除機４１は、掃除機本体４２と、この掃除機本体４２に対して着脱自在に固定される集塵容器４３と、前記掃除機本体４２に対して着脱自在に接続されるホース４とを有して構成されている。
【００３４】
前記掃除機本体４２の前部には、前記集塵容器４３を固定するための取付部４５が形成されている。この取付部４５は、図示しない電動送風機が収納された本体後部４２Ａの前方で且つ、前記ホース４と集塵容器４３とを接続するための接続経路４６が設けられた本体前底部４２Ｂの上方に設けられている。
【００３５】
そして、前記掃除機本体４２の本体前底部４２Ｂの前側には、係止孔４７が形成されている。更に、前記掃除機本体４２の本体後部４２Ａの前上部には、前記取付部４５に前記集塵容器４３を固定するための固定手段１２が設けられている。なお、前記掃除機本体４２の本体前底部４２Ｂには、前輪１３が設けられていると共に、前記掃除機本体４２の本体後部４２Ａには、後輪１４が設けられている。
【００３６】
前記集塵容器４３の後部には、前記本体後部４２Ａと対向するように、開口部５５が形成されている。また、前記集塵容器４３の下方外壁４３Ａの反開口部５５側（即ち前側）には、前記係止孔４７に挿入される爪部５６が形成されている。また、前記集塵容器４３の下方外壁４３Ａの開口部５５側（即ち後側）には貫通孔４８が形成されていると共に、この貫通孔４８から出没可能となるように、押圧子９が取り付けられている。また、この押圧子９は、圧縮コイルばね１０によって下方に付勢されている。そして、これら押圧子９及び圧縮コイルばね１０によって、付勢手段５１が構成されている。このように、前記付勢手段５１が前記押圧子９と圧縮コイルばね１０とで極めて単純に構成されていることで、前記付勢手段５１が設けられた前記集塵容器４３の構造の複雑化を抑えることができるので、電気掃除機１のコストアップを最小限に抑えることができる。また、前記押圧子９は、前記取付部４５に前記集塵容器４３を固定した際に、前記掃除機本体４２の本体前底部４２Ｂの後部に当接するように構成されている。なお、前記集塵容器４３の塵埃分離の方式は、ろ過（フィルタ式）であっても、遠心分離（サイクロン式）であっても良い。
【００３７】
次に、本実施形態の作用について説明する。まず使用者は、図６に示すように、前記開口部５５側が前記本体後部４２Ａ側となるように、前記集塵容器４３の爪部５６を前記掃除機本体４２の係止孔４７に挿入する。そして、前記爪部５６を回動支点として、前記付勢手段５１の付勢力に抗して、前記集塵容器４３を下方に押し付けるように回動させた後、前記集塵容器４３の開口部５５側の上方外壁４３Ｂに前記固定手段１２を係合させることで、図５に示すように、前記集塵容器４３が前記掃除機本体４２の取付部４５に固定される。
【００３８】
この状態で、図示しない電動送風機を作動させることで、図示しない吸い込み口から前記ホース４及び接続経路４６を経て、前記集塵容器４３内に塵埃を含んだ気流が流入し、この集塵容器４３内で気流から塵埃が分離されると共に、この塵埃が前記集塵容器４３内に溜められる。なお、前記集塵容器４３の塵埃分離の方式がフィルタ式であってもサイクロン式であっても、前記集塵容器４３の開口部５５には図示しないフィルタ等が取り付けられるので、最終的には、細かい塵埃や軽い塵埃が図示しない前記フィルタに捕捉される。更に、図示しない前記フィルタによって細かい塵埃まで除去された気流は、前記電動送風機に吸引された後、前記掃除機本体４２外に排出される。
【００３９】
そして、前記集塵容器４３内に塵埃が溜まった場合、この塵埃を廃棄するために、前記集塵容器４３を前記掃除機本体４２の取付部４５から取り外す。この場合、図示しない前記電動送風機が停止した状態で、使用者が前記固定手段１２を操作して、この固定手段１２と前記集塵容器４３の上方外壁４３Ｂとの係合を解除することで、前記集塵容器４３の前記掃除機本体４２への固定が解除される。そして、この固定が解除されると、前記付勢手段５１によって前記掃除機本体４２の本体前底部４２Ｂの後部が押し下げられるため、反作用として、前記集塵容器４３の開口部５５側の下方外壁４３Ａが押し上げられる。この際、前記集塵容器４３は、回動支点である前記爪部５６を中心に前記開口部５５側がやや上を向くように回動することになる。
【００４０】
このように、前記集塵容器４３の開口部５５側がやや上向きとなるように持ち上がることによって、使用者が前記掃除機本体４２から前記集塵容器４３を取り外しやすくすることができるばかりでなく、万が一、前記集塵容器４３の開口部５５から図示しないフィルタ等が外れたとしても、前記集塵容器４３内から塵埃が漏れにくくすることができる。
【００４１】
なお、本発明は以上の実施形態に限定されるものではなく、発明の要旨の範囲内で種々の変形実施が可能である。例えば、上記各実施形態の電気掃除機は横型であるが、縦型の電気掃除機に適用することもできる。また、上記各実施形態では、ばねとして圧縮コイルばねを用いたが、これ以外のばね、例えば引っ張りコイルばねや捻りコイルばね等を用いても良い。
【図面の簡単な説明】
【００４２】
【図１】本発明の第一の実施形態を示す電気掃除機の側面図である。
【図２】同、集塵容器の固定が解除された状態における側面図である。
【図３】本発明の第二の実施形態を示す電気掃除機の側面図である。
【図４】同、集塵容器の固定が解除された状態における側面図である。
【図５】本発明の第三の実施形態を示す電気掃除機の側面図である。
【図６】同、集塵容器の固定が解除された状態における側面図である。
【符号の説明】
【００４３】
１，２１，４１  電気掃除機
２，２２，４２  掃除機本体
３，２３，４３  集塵容器
９  押圧子
１０  圧縮コイルばね（ばね）
１１，５１  付勢手段
１２  固定手段
１５，３５，５５  開口部
１６，５６  爪部（回動支点）
３６  受部（回動支点）
【図１】
2010075399.tif 000003
【図２】
2010075399.tif 000004
【図３】
2010075399.tif 000005
【図４】
2010075399.tif 000006
【図５】
2010075399.tif 000007
【図６】
2010075399.tif 000008